(57)【要約】      （修正有）【課題】テントシートの外縁部を構造物の骨格材に取り付けるために用い、施工時の作業性が良好で、またテントシートの離脱を防ぐほか、適度な張力を与えることのできる終端保持具を提供する。【解決手段】骨格材６１にテントシート５１を取り付けるための終端保持具は、テンションレール１１と連結具２１と拘束具３１で構成し、テンションレール１１には、テントシート５１の係止帯５３を収容する外方溝１３を設けるほか、テントシート５１を屈曲させる変曲部１５を設け、連結具２１には、骨格材６１とテンションレール１１との距離を調整する機能を持たせ、拘束具３１には、外方溝１３に入り込む押圧部３３を設け、押圧部３３で係止帯５３を移動不能にした後、連結具２１を操作して、テントシート５１に適度な張力を与える。【選択図】図１
2019078037.tif 000002
【特許請求の範囲】
【請求項１】
テントシート（５１）の外縁部を構造物の骨格材（６１）に取り付けるために用いる終端保持具であって、
前記骨格材（６１）に取り付ける棒状のテンションレール（１１）と、該骨格材（６１）と該テンションレール（１１）をつなぐ連結具（２１）と、該テンションレール（１１）に組み込む拘束具（３１）と、からなり、
前記テンションレール（１１）には、前記テントシート（５１）の外縁部に設けた係止帯（５３）を収容可能な外方溝（１３）と、前記連結具（２１）を収容可能な内方溝（１４）と、を設け、該外方溝（１３）の入口を挟む二地点のうちの一方には、該テントシート（５１）を鋭角状に屈曲させる変曲部（１５）を設け、
前記連結具（２１）は、前記骨格材（６１）と前記テンションレール（１１）との距離を調整可能で、
前記拘束具（３１）には、前記外方溝（１３）に入り込む押圧部（３３）を設け、
前記外方溝（１３）の内周面と前記押圧部（３３）との間に前記係止帯（５３）が挟み込まれることで、前記テントシート（５１）は前記骨格材（６１）に取り付けられ、且つ前記連結具（２１）によって該骨格材（６１）と前記テンションレール（１１）との距離が増大することで、前記変曲部（１５）が該テントシート（５１）に張力を与えることを特徴とする終端保持具。
【請求項２】
前記拘束具（３１）を雨樋として機能させるため、該拘束具（３１）において前記押圧部（３３）と対向する側には、上方に開いた水路（３４）を設けてあることを特徴とする請求項１記載の終端保持具。
【請求項３】
前記拘束具（３１）を破風板として機能させるため、該拘束具（３１）において前記押圧部（３３）と対向する側には、下方に突出する外縁板（３８）を設けてあることを特徴とする請求項１記載の終端保持具。
【発明の詳細な説明】
【技術分野】
【０００１】
本発明は、テントシートの外縁部を構造物の骨格材に取り付けるために用いる終端保持具に関する。
【背景技術】
【０００２】
テントには様々な種類が存在しており、キャンプなどで用いる可搬性を有するものが広く知られているが、パビリオンや倉庫など、地面に据え付けられる大形のものも存在している。大形のテントは、断熱性や防音性などの面で居住には適さないが、一般的な建築物と比較して短期間で施工することができ、産業分野を中心に広く普及している。なおテントの外皮となるテントシートは、風による振動で騒音源になるほか、振動で劣化が促進される。そのため大形のテントについては、テントシートに張力を与えて緩みを防ぐ必要がある。
【０００３】
倉庫など、地面に据え付けられるテント構造物については、前記のようにテントシートに張力を与え、その緩みを防ぐ必要がある。そのためテントシートの外縁部は、ロープを介して構造物の骨格に取り付け、さらにロープに大きな張力を与えてテントシートを引き寄せることが多い。このロープは、テントシートに局地的な緩みが生じないよう、狭い間隔で連続的に配置する必要があり、施工時の手間が増大する。そこで後記の特許文献１などのように、作業性を改善する手段が提案されている。
【０００４】
特許文献１では、建築物の内部からテント生地に張力を与えることのできるテント用骨格材が開示されており、この骨格材は、建築物の横断面に沿って伸びるアーチ状で、主材と副材の二要素で構成される。そのうち主材は、建築物の骨格となる部品で、また副材は、テント生地の端部を保持する役割を担い、副材は、主材に設けた案内室に収容される。そして、案内室に収容された副材を押圧具で押し込むことで、副材が移動してテント生地に張力が与えられる。このテント用骨格材は、テント生地に張力を与える作業を室内から実施可能で、安全性や工期などの面で優れている。
【０００５】
特許文献２では、室内壁面や天井面を構成するシートの張設方法が開示されており、廻り縁と称される長尺の部材と、帯板状のシート固定用治具と、を用いてシートの張設を実現している。ここでシート固定用治具は、シートの周縁部に貼り付けられ、シートの周縁部の芯となる部品で、また廻り縁には、シート固定用治具を収容する溝を形成してある。そしてシートの張設方法については、まず廻り縁の表面にシート固定用治具を仮接着し、次にシート固定用治具にシートの周縁部を接着させる。その後、シート固定用治具を廻り縁から引きはがすとともに、シートの周縁部をシート固定用治具に巻き付け、最後にシート固定用治具を反転させて廻り縁の溝内に押し込む。この方法では、シートを安価に製造できるほか、廻り縁が室内に露出しないなどの効果を有する。
【先行技術文献】
【特許文献】
【０００６】
【特許文献１】特開２０１４−１６３１９３号公報
【特許文献２】特開昭６３−２９３２５５号公報
【発明の概要】
【発明が解決しようとする課題】
【０００７】
倉庫など、大形のテント構造物については、前記のようにテントシートに張力を与え、その緩みを防ぐ必要があり、従来のようにロープで引き寄せる方法のほか、前記の特許文献１のような技術を導入することもできる。特許文献１では、テント生地の端部に筒状のスリーブを設け、その中に芯体を通すことを前提としており、芯体で膨れたスリーブを副材の空洞に差し込む必要がある。しかし副材は、建築物の横断面に沿って伸びるため長尺化しやすく、スリーブを空洞に差し込む際、双方の間に作用する摩擦が次第に大きくなり、作業性が悪化することが判明している。
【０００８】
前記の特許文献２では、シートの周縁部にシート固定用治具を貼り付け、シートの周縁部を廻り縁の溝内に収容することでシートを張設している。したがってシートの敷設作業は容易だが、シート固定用治具は、溝内に収容されているだけであり、何らかの理由でシートに緩みが生じると、シート固定用治具が溝内から離脱する恐れがある。しかも廻り縁は、壁下地に固定してあり、シートの張力を調整することも難しい。
【０００９】
本発明はこうした実情を基に開発されたもので、テントシートの外縁部を構造物の骨格材に取り付けるために用い、施工時の作業性が良好で、またテントシートの離脱を防ぐほか、適度な張力を与えることのできる終端保持具の提供を目的としている。
【課題を解決するための手段】
【００１０】
前記の課題を解決するための請求項１記載の発明は、テントシートの外縁部を構造物の骨格材に取り付けるために用いる終端保持具であって、前記骨格材に取り付ける棒状のテンションレールと、該骨格材と該テンションレールをつなぐ連結具と、該テンションレールに組み込む拘束具と、からなり、前記テンションレールには、前記テントシートの外縁部に設けた係止帯を収容可能な外方溝と、前記連結具を収容可能な内方溝と、を設け、該外方溝の入口を挟む二地点のうちの一方には、該テントシートを鋭角状に屈曲させる変曲部を設け、前記連結具は、前記骨格材と前記テンションレールとの距離を調整可能で、前記拘束具には、前記外方溝に入り込む押圧部を設け、前記外方溝の内周面と前記押圧部との間に前記係止帯が挟み込まれることで、前記テントシートは前記骨格材に取り付けられ、且つ前記連結具によって該骨格材と前記テンションレールとの距離が増大することで、前記変曲部が該テントシートに張力を与えることを特徴とする終端保持具である。
【００１１】
本発明による終端保持具は、テントシートの外縁部を骨格材に取り付けるために用いられ、大別してテンションレールと連結具と拘束具の三要素で構成される。ここで骨格材とは、テントシートが敷設される各種構造物の骨格となる木材や鉄骨を指すが、骨格材の配置は自在で、水平方向に伸びる場合もあれば、垂直方向に伸びる場合もあり、さらに骨格材は、棒状に限定されるものではなく、板状でも構わない。またテントシートは、各種構造物の所定の領域を面状に塞ぎ、屋根や壁として機能するもので、その外縁部を骨格材に取り付ける。
【００１２】
テンションレールは、テントシートの外縁部を保持する役割を担い、テントシートの外縁部に沿って伸びる棒状のものである。なお一枚のテントシートの外縁部は、直線状に伸びる複数の辺で構成されるが、その外縁部の一辺について、一組のテンションレールを用いる。そして一組のテンションレールは、一本のテンションレールだけで構成する場合もあるが、施工上の都合などで複数本を同心で配置する場合もある。
【００１３】
テンションレールは、連結具を介して構造物の骨格材に取り付ける。一組のテンションレールは、一本の骨格材に沿って配置する場合もあれば、複数本の骨格材と交差するように配置する場合もあるが、いずれについても、所定の間隔で複数の連結具を配置し、テンションレールを強固に取り付け、テントシートに必要な張力が与えられるものとする。
【００１４】
テンションレールの横断面は、外方溝と内方溝が背中合わせに並んだ形状で、これらが長手方向に沿って伸びており、外方溝と内方溝の双方の開口は、対向するように配置される。そして内方溝は、連結具の一端部を離脱不能に保持する役割を担い、その横断面は矩形状としてある。なお内方溝の横断面を構成する各辺のうち、骨格材と向かい合う辺の中央付近には、連結具を通すための開口を設ける。したがって内方溝の横断面は、狭い開口を有する袋状となる。
【００１５】
外方溝は、その開口幅と同等以上の深さを有するＵ字状で、そこにテントシートの外縁部を収容する。なおテントシートには、その外縁部に沿って伸びる係止帯を設けてあることを前提とする。係止帯は、帯状の芯板にテントシートを巻き付けて一体化したもので、芯板は、所定の厚さと強度を有するものとする。また外方溝は、係止帯の全体が余裕で入り込める大きさを確保する。
【００１６】
変曲部は、テンションレールの側端部に設け、テントシートを鋭角状に屈曲させる役割を担う。したがって、外方溝の入口を挟む二地点のうちの一方が変曲部となる。なお、テントシートの屈曲径には限度があり、これに応じて変曲部の形状を決める。また外方溝に係止帯が収容された後、テントシートに張力を与えると、テントシートは変曲部で鋭角状に屈曲するが、その際、係止帯は外方溝の内周面に押し付けられ、係止帯が外方溝から離脱することはない。
【００１７】
連結具は、骨格材とテンションレールをつなぐ部品であり、テンションレールを骨格材に取り付ける役割を担うほか、骨格材とテンションレールとの距離を増大させることで、テントシートに張力を与える役割を担う。したがって連結具の一端部は、テンションレールの内方溝に収容される。なお内方溝は、狭い開口を有する袋状で、連結具の抜けを規制する。ただし連結具は、テンションレールの長手方向に沿って自在に移動可能である。
【００１８】
連結具の具体例としては、単純な六角ボルトが挙げられ、その頭部をテンションレールの内方溝に収容し、その軸部を内方溝から突出させ、骨格材に設けた穴に差し込む。さらに六角ボルトの軸部にナットを螺合させ、このナットを骨格材に接触させた後に回転させると、骨格材とテンションレールとの距離が変化し、テンションレールを骨格材から遠ざけることで、変曲部がテントシートを押し込み、テントシートに張力が与えられる。
【００１９】
拘束具は、テンションレールに組み込む部品であり、外方溝に収容されたテントシートの移動を規制する役割を担い、テンションレールに沿って棒状に伸びる。また拘束具の一側部には、テントシートの移動を規制するため、外方溝に入り込む押圧部を設けてある。当然ながら押圧部の厚さなどは、外方溝や係止帯の形状に基づいて決める。そして、拘束具を外方溝に差し込むと、係止帯は、外方溝の内周面と拘束具の押圧部で挟み込まれて固定される。なお拘束具の押圧部は、外方溝に入り込むが、それ以外の部位は常時テンションレールから突出しており、後に拘束具を取り外すこともできる。
【００２０】
このように、テンションレールと連結具と拘束具で構成される終端保持具を用いてテントシートを取り付けることで、施工時は、テンションレールの外方溝にテントシートの係止帯を収容し、さらに外方溝に拘束具の押圧部を差し込むと、テントシートの外縁部がテンションレールに固定される。その後、連結具を操作して骨格材とテンションレールとの距離を増大させると、テンションレールの変曲部がテントシートを押し込み、テントシートに適度な張力が与えられ、テントシートの敷設が完了する。なお外方溝は、係止帯に対して大きさに余裕を持たせることができ、外方溝に係止帯を収容する作業は容易である。
【００２１】
請求項２記載の発明は、拘束具を雨樋として機能させるためのもので、拘束具において押圧部と対向する側には、上方に開いた水路を設けてあることを特徴とする。拘束具の一側部は、外方溝に入り込む押圧部となるが、この押圧部に対向する側は、テントシートの敷設などに問題がない範囲で形状を自在に決めることができる。したがってこの発明のように、拘束具の端部に水路を設け、雨樋として機能させることもできる。なお水路の横断面は、半円形やＵ字形など、中央が低く両側が高い形状になる。
【００２２】
請求項３記載の発明は、拘束具を破風板として機能させるためのもので、拘束具において押圧部と対向する側には、下方に突出する外縁板を設けてあることを特徴とする。破風板は、屋根の外縁部に取り付ける壁状のもので、構造物の内部に風雨が入り込むことを防ぐ。この発明では、拘束具の端部を意図的に下方に突出させ、破風板として機能させる。
【発明の効果】
【００２３】
請求項１記載の発明のように、テントシートの終端保持具をテンションレールと連結具と拘束具で構成することで、施工時は、テンションレールの外方溝にテントシートの係止帯を収容し、さらに外方溝に拘束具の押圧部を差し込むと、テントシートの外縁部がテンションレールに固定される。その後、連結具を操作して骨格材とテンションレールとの距離を増大させると、テンションレールの変曲部がテントシートを押し込み、テントシートに適度な張力が与えられ、テントシートの敷設が完了する。
【００２４】
外方溝にテントシートの係止帯を収容する作業や、テンションレールに拘束具を組み込む作業は、テントシートが緩んだ状態で行えるほか、外方溝は、係止帯に対して大きさに余裕を持たせることができ、外方溝に係止帯を収容する作業は容易である。また外方溝に拘束具が入り込むことで、係止帯の緩みがなくなり、テントシートに張力が作用しない状態においても、テントシートがテンションレールから離脱することはない。なお拘束具は、係止帯の移動を規制できればよく、拘束具を外方溝に圧入する必要はない。
【００２５】
請求項２記載の発明のように、拘束具に水路を設けることで、別途に雨樋を施工する必要がなく、施工作業の効率化や、施工費用の削減を期待できる。拘束具は、テントシートの外縁部に沿って配置されるため、テントシートから落下した雨水は、無理なく水路に到達する。
【００２６】
請求項３記載の発明のように、拘束具に外縁板を設けることで、別途に破風板を施工する必要がなく、施工作業の効率化や、施工費用の削減を期待できる。本発明では、テントシートと骨格材に隙間が生じることもあるため、拘束具を破風板として機能させることで、室内環境の向上などが実現する。
【図面の簡単な説明】
【００２７】
【図１】本発明による終端保持具の形状例と使用例を示す斜視図で、建物の屋根にテントシートを敷設することを想定しており、図の下方には、終端保持具の一部範囲だけを拡大して描いてある。
【図２】図１のテンションレールにテントシートを取り付ける過程を示す斜視図である。
【図３】図１のテンションレールにテントシートを取り付けた後、テントシートに張力を与える過程を示す斜視図である。
【図４】テントシートの外縁部に伸びる係止帯の形成方法を示す斜視図である。
【図５】拘束具の形状例を示す斜視図で、拘束具に外縁板を設け、破風板としての機能を持たせた形態である。
【図６】外方溝の開口幅を広げた場合の形状例を示す斜視図である。
【図７】図６のテンションレールに拘束具を組み込む過程を示す斜視図である。
【発明を実施するための形態】
【００２８】
図１は、本発明による終端保持具の形状例と使用例を示し、建物の屋根にテントシート５１を敷設することを想定しており、図１の下方には、終端保持具の一部範囲だけを拡大して描いてある。図１の建物は、中央上部に棟木６２を配置してあり、この棟木６２は左右に登り梁６３で支持されており、登り梁６３の下部は、柱６４の上面に載せられている。また柱６４の上部には、棟木６２と平行に伸びる骨格材６１を配置してある。この骨格材６１は、隣接する二本の柱６４を結ぶ梁に相当する。そしてテントシート５１は、棟木６２を頂点として左右の登り梁６３に沿って下降するように敷設され、その下端部が左右の骨格材６１に取り付けられ、張力を与えられる。
【００２９】
終端保持具は、テンションレール１１と連結具２１と拘束具３１の三要素を中心に構成され、そのうちテンションレール１１は、骨格材６１の外側に配置し、骨格材６１の側面と所定の間隔をあけて対向するように並び、骨格材６１と同等の延長を有し、テントシート５１の下端部を連続的に保持する。そしてテンションレール１１の横断面は、外方溝１３と内方溝１４が背中合わせに並んでおり、内方溝１４は骨格材６１の側面と向かい合う。またテントシート５１には、係止帯５３を設けてある。係止帯５３は、芯板５８の周囲にテントシート５１を巻き付けたもので、相応の厚さを有し、テントシート５１の下端部を構成する。なお図１では、左右両方の骨格材６１に終端保持具を組み込み、テントシート５１の下端部で張力を与える。
【００３０】
外方溝１３は、その入口の幅に対して奥行きが深いＵ字状断面で、テントシート５１の係止帯５３の全体を収容する。また外方溝１３の入口の上方には、円断面に形成した変曲部１５を設けてあり、対する入口の下方には、端曲部１６を設けてある。変曲部１５と端曲部１６との間は、外方溝１３の入口となり、係止帯５３が無理なく入り込める大きさを確保してある。そして、外方溝１３に係止帯５３を収容した後、テントシート５１を棟木６２の方に引き寄せると、テントシート５１は変曲部１５に接触し、鋭角状に屈曲する。
【００３１】
連結具２１は、骨格材６１にテンションレール１１を取り付けるために用い、ここでは単純な六角ボルトを用いている。連結具２１の頭部２４は、テンションレール１１の内方溝１４に収容されるほか、連結具２１の軸部２３は、骨格材６１に向けて突出する。なお内方溝１４の入口は、上下の垂板１８の間に設けてあり、軸部２３だけが通過できる大きさとしてあり、頭部２４は内方溝１４から離脱できない。また内方溝１４は、頭部２４の対向二面を挟み込み、頭部２４の回転を防ぐ。そのほか軸部２３の先方は、骨格材６１の側面に加工した基礎穴６６に差し込む。
【００３２】
連結具２１の軸部２３にはナット２５を螺合してあるほか、ナット２５に隣接してワッシャ２６を差し込んであり、ナット２５は、ワッシャ２６を挟んで骨格材６１に接触させる。その結果、ナット２５を回すことで、骨格材６１とテンションレール１１との距離が調整可能になる。なお軸部２３は、単に基礎穴６６に差し込んであるだけだが、基礎穴６６は水平方向に加工してあるため、軸部２３が基礎穴６６から抜けることはなく、テンションレール１１が骨格材６１から離脱することもない。そのほか連結具２１は、所定の間隔で複数を連続的に配置する。
【００３３】
拘束具３１は、外方溝１３に収容された係止帯５３の抜けを防ぐために用いられ、拘束具３１の一側部には、外方溝１３に入り込む押圧部３３を設けてある。押圧部３３は単純な平面状で、外方溝１３に収容された係止帯５３の下に入り込み、外方溝１３の内部の隙間を埋め、係止帯５３の移動を規制する。したがって押圧部３３の差し込み後、テントシート５１が緩んだ場合でも、係止帯５３は移動不能で、テントシート５１が離脱することはない。
【００３４】
拘束具３１は、その押圧部３３だけが外方溝１３に入り込み、残りはテンションレール１１から突出する。この突出する部分は、「Ｊ」字状断面としてあり、その下部に半円形断面の水路３４を設けてある。したがって図１の拘束具３１は、雨樋としての機能を備えている。そのほか拘束具３１の押圧部３３の下面には、長手方向に伸びる底溝３６を設けてある。底溝３６は半円形断面の切り欠きで、テンションレール１１の端曲部１６に嵌まり込み、拘束具３１の移動を規制する。
【００３５】
図１において、一組のテンションレール１１は、テントシート５１の外縁部の一辺と同等の長さを確保し、テントシート５１を途切れることなく保持する必要がある。ただしテンションレール１１は、製造や輸送の面で長尺化には限度があり、一組のテンションレール１１を複数に分割することもある。その場合、個々のテンションレール１１を同心で隙間なく配置する。なお拘束具３１についても、同様に複数に分割することもある。
【００３６】
図２は、図１のテンションレール１１にテントシート５１を取り付ける過程を示している。なお骨格材６１やテンションレール１１やテントシート５１などは、水平方向に長く伸びているが、図ではその一部範囲だけを描いてある。そして、テントシート５１の取り付けに際しては、まず図２の上方に描くように、骨格材６１に沿ってテンションレール１１を配置する。テンションレール１１は、連結具２１を介して骨格材６１に取り付けるため、骨格材６１とテンションレール１１には隙間が確保されている。そのほか図では、連結具２１を一本だけ描いてあるが、実際には、所定の間隔で複数を配置し、テンションレール１１を強固に取り付ける。
【００３７】
テンションレール１１の取り付け後、図２の中程に描くように、外方溝１３にテントシート５１の係止帯５３を収容する。テントシート５１は、図１に描くように登り梁６３に沿って配置されるため、必然的にテンションレール１１の近傍で鋭角状に屈曲する。なお外方溝１３は、係止帯５３に対して余裕のある大きさで、係止帯５３の全体が外方溝１３に収容される。以降、係止帯５３は、わずかだが外方溝１３の内部で移動することもできる。
【００３８】
外方溝１３に係止帯５３を収容した後、図２の下方に描くように、テンションレール１１に拘束具３１を組み込む。その際は、拘束具３１の押圧部３３を外方溝１３に接近させ、テントシート５１と端曲部１６との間に押圧部３３の先端を差し込む。その後、拘束具３１を押し込み、押圧部３３の全体を外方溝１３に入り込ませると、係止帯５３は上方に押し上げられる。同時に、外方溝１３の内部の隙間がなくなり、係止帯５３は完全に移動不能となる。なお押圧部３３が正しく外方溝１３に入り込むと、拘束具３１の底溝３６とテンションレール１１の端曲部１６が嵌まり込み、拘束具３１の抜けを防ぐ。
【００３９】
図２の中程の状態では、テンションレール１１に拘束具３１が組み込まれていない。この状態において、テントシート５１を棟木６２の方に引き寄せると、テントシート５１は、変曲部１５に接触して緩みが解消される。その際、テントシート５１の張力が係止帯５３にも伝達し、係止帯５３は、変曲部１５との接触部を支点として時計方向に回転しようとするが、この動きは外方溝１３で規制される。したがって図２の中程の状態においても、係止帯５３が外方溝１３から離脱することなく、テントシート５１の張力を受け止めることができる。ただしテントシート５１が緩むと、自然に離脱する恐れがある。
【００４０】
図３は、図１のテンションレール１１にテントシート５１を取り付けた後、テントシート５１に張力を与える過程を示す。先の図２の下方に描くように、テンションレール１１の外方溝１３に係止帯５３を収容し、さらに拘束具３１を組み込むことで、テンションレール１１にテントシート５１が取り付けられる。この段階において、係止帯５３は、押圧部３３によって移動不能となっており、テントシート５１が緩んだ場合でも、係止帯５３が外方溝１３から離脱することはない。したがって、テンションレール１１にテントシート５１を取り付けるまでの作業は、テントシート５１が緩んだ状態で行うことができ、作業性に優れている。
【００４１】
図３の上方に描くように、テンションレール１１にテントシート５１を取り付けた段階では、テントシート５１は緩んでいる。しかしナット２５を回転させ、連結具２１を図の左側に移動させると、図３の下方に描くように、骨格材６１とテンションレール１１との距離が増大し、変曲部１５がテントシート５１を押し込み、テントシート５１に張力が与えられる。なお拘束具３１は、テントシート５１の下端部に隣接するため、テントシート５１を流れた雨水は、無理なく水路３４に到達する。
【００４２】
連結具２１の軸部２３は、骨格材６１の基礎穴６６に差し込んであるだけだが、構造上、軸部２３を引き抜く方向に荷重が作用することはなく、連結具２１が骨格材６１から離脱することもない。ただし施工上の都合などで、離脱を防ぐ対策が必要になることがあり、その場合には、軸部２３の先端を基礎穴６６から突出させ、そこに抜け止めを設ける。そのほか連結具２１の頭部２４は六角で、その対向二面は内方溝１４の内面に隣接している。そのため連結具２１は回転することができず、連結具２１がナット２５と一体で回ることもない。
【００４３】
図４は、テントシート５１の外縁部に伸びる係止帯５３の形成方法を示す。係止帯５３は、テントシート５１の製造段階で形成するものではなく、施工箇所に応じてテントシート５１を切り出した後に形成するもので、中心の芯板５８にテントシート５１の外縁部を巻き付けた構造である。なお芯板５８は、細長く帯状に伸びる鋼板で、諸条件に基づき、その長さや幅や厚さを調整する。そのほかテントシート５１の外縁部が長い場合、芯板５８を複数に分割することもある。
【００４４】
実際に係止帯５３を形成する際は、まず芯板５８の表裏両面に粘着テープ５９を貼り付け、次に図４の上方に描くように、芯板５８をテントシート５１の外縁部に接近させ、その粘着テープ５９をテントシート５１に接触させる。以降、芯板５８にテントシート５１を巻き付けていくと、図４の下方に描くように、係止帯５３が完成する。このように、テントシート５１を巻き付けていくことで、やがてテントシート５１が芯板５８を締め付け、自然にテントシート５１と芯板５８が一体化する。なお粘着テープ５９は、表裏両面が粘着性を有する両面テープである。
【００４５】
図５は、拘束具３１の形状例を示すもので、拘束具３１に外縁板３８を設け、破風板としての機能を持たせた形態である。図５の拘束具３１は、水平に伸びる押圧部３３と、垂直に伸びる外縁板３８を丁字状に一体化した形状で、外縁板３８は、テントシート５１の下端部から下方に伸び、骨格材６１の周辺に風雨が入り込むことを防ぐ。なお図５のテンションレール１１は、図１のものとは形状が異なり、外方溝１３と内方溝１４に段差が生じている。このようにテンションレール１１の詳細な形状は自在である。
【００４６】
図６は、外方溝１３の開口幅を広げた場合の形状例を示している。ここで外方溝１３の開口幅とは、変曲部１５と端曲部１６との間隔を指す。外方溝１３は、係止帯５３と押圧部３３を緩みなく収容できればよく、必要以上に開口幅を広げる必要はないが、この図のように、開口幅を係止帯５３の横幅と同等に広げることもできる。その場合、図６の下方に描くように、係止帯５３の一端側を変曲部１５に接触させ、係止帯５３を変曲部１５から垂れ下がるように配置することができる。さらに、変曲部１５を中心として係止帯５３を回転させると、係止帯５３を外方溝１３に収容することができる。なお係止帯５３の横幅とは、係止帯５３の長手方向に対して直交する方向の長さを指す。
【００４７】
図６のような構造を導入することで、テントシート５１の緩みが少なく、係止帯５３をテンションレール１１の外側に引き出せない場合でも、無理なく係止帯５３を外方溝１３に収容することができる。また、外方溝１３の開口幅を広げたことで、押圧部３３についても、板状ではなく中空状としてある。このように押圧部３３は、外方溝１３に入り込んで係止帯５３の移動を規制できるならば、その形状は自在に決めて構わない。
【００４８】
図７は、図６のテンションレール１１に拘束具３１を組み込む過程を示しており、図７の上方に描くように、押圧部３３を外方溝１３に入り込ませていくと、垂れ下がっていた係止帯５３は、変曲部１５を回転中心として徐々に傾いていく。そして押圧部３３が完全に入り込むと、外方溝１３の内周面と押圧部３３の上面で係止帯５３が挟み込まれ、テントシート５１の取り付けが完了する。その後、テンションレール１１を骨格材６１から遠ざけると、変曲部１５がテントシート５１を押し込み、テントシート５１に張力が与えられる。
【符号の説明】
【００４９】
１１  テンションレール
１３  外方溝
１４  内方溝
１５  変曲部
１６  端曲部
１８  垂板
２１  連結具
２３  軸部
２４  頭部
２５  ナット
２６  ワッシャ
３１  拘束具
３３  押圧部
３４  水路
３６  底溝
３８  外縁板
５１  テントシート
５３  係止帯
５８  芯板
５９  粘着テープ
６１  骨格材
６２  棟木
６３  登り梁
６４  柱
６６  基礎穴
【図１】
2019078037.tif 000003
【図２】
2019078037.tif 000004
【図３】
2019078037.tif 000005
【図４】
2019078037.tif 000006
【図５】
2019078037.tif 000007
【図６】
2019078037.tif 000008
【図７】
2019078037.tif 000009